(57)【要約】【課題】  選挙用ポスター掲示板のボード材を枠組み材に留め付けるとき、作業の手間を要することなく、また、ボード材の伸縮を逃がすことで波打ちに対処し、さらに、外的要因により、ボード材全体の重量が増しても、開口穴が裂けることがないねじを提供すること。【解決手段】  ねじ山の頭部側の終端部からさらに頭部側へ所定の間隔をもって軸部内に中心があり、かつ前述のねじ軸線と垂直な平面と平行で、さらに上述のねじ山の外径より大径である環状突起を有しており、さらにまた前述の環状突起は上述の軸部の周面から離れるに従い上面と下面が収束する形状を成しており、環状突起に続いてさらに頭部側へ所定の間隔をもって前記軸部の外径より小径となり、さらにその中心が前記軸部内にある環状凹部を頭部下のテーパ部まで設ける。【選択図】  図７
2005331091.tif 000002
【特許請求の範囲】
【請求項１】
ねじ山を有する軸部の一端に回動工具の係合手段を設けた頭部を有し、その他端に先端を有し、前記ねじ山が先端から前記軸部の途中まで続くねじにおいて、前記ねじ山の頭部側の終端部からさらに頭部側へ所定の間隔をもって、ねじ軸線と垂直な平面で、前記ねじ山の外径より大径であり、さらに中心が前記軸部内にある環状突起を有しており、かつ前記環状突起は前記軸部の周面から離れるに従い上面と下面が収束する形状を成しており、前記環状突起に続いてさらに頭部側へ所定の間隔をもって前記軸部の外径より小径となり、さらにその中心が前記軸部内にある環状凹部を頭部下のテーパ部まで設けたことを特徴とするねじ。
【請求項２】
請求項１に記載のねじにおいて、前記ねじ山の頭部側の終端部から前記環状凹部の間に２個以上の前記環状突起を設けたことを特徴とするねじ。
【請求項３】
ねじ山を有する軸部の一端に回動工具の係合手段を設けた頭部を有し、その他端に先端を有し、前記ねじ山が先端から前記軸部の途中まで続くねじにおいて、前記ねじ山の頭部側の終端部からさらに頭部側へ所定の間隔をもって、ねじ軸線と垂直な平面で、前記ねじ山の外径より大径であり、さらに中心が前記軸部内を通っている弦巻き線を有しており、かつ前記弦巻き線は前記軸部の周面から離れるに従い上面と下面が収束する形状を成しており、前記弦巻き線に続いてさらに頭部側へ所定の間隔をもって前記軸部の外径より小径となり、さらにその中心が前記ねじ軸線と一致する環状凹部を頭部下のテーパ部まで設けたことを特徴とするねじ。
【発明の詳細な説明】
【技術分野】
【０００１】  本発明は、屋外に設置され気温や湿度の変化によって相対的に伸縮運動を発生する材料を固定するために使用するねじに関する。
【背景技術】
【０００２】  一般に屋外に設置されるものとして図９に示すような選挙用ポスター掲示板がある。従来、この選挙用ポスター掲示板は、ベニヤなどの薄板と予め製材所で加工された角材で構成されている。しかし近年、環境問題やリサイクルなどの観点からベニヤなどの薄板の代替として、プラスチック等の廃材を再加工し作られるボード材を使用することが多い。このボード材はリサイクル品であるので、環境にやさしいという長所がある反面、気温や湿度などの変化により、伸縮するという短所もある。【０００３】  ところで、上記の選挙用ポスター掲示板の組立て作業は、まず、作業者が掲示板のフレームとなる枠組みを角材を使用して組み立てる。その後、上述した選挙用ポスターの下地となるボード材を枠組み材の所定位置にねじを使ってたるませる事無く貼り付ける。【０００４】  ここで、この貼り付け作業で用いられるねじは、ＪＩＳ−Ｂ−１１１２に記載の木ねじを用いることが多い。この木ねじは無ねじ部とねじ部の外径がほぼ等しいので、ボード材にねじ込まれた木ねじの無ねじ部周面はボード材に密着し、ボード材と無ねじ部との間に隙間が生じず、ボード材と枠組み材は、たるみも無く完全に固定される。【０００５】  しかし、屋外に暴露された選挙用ポスター掲示板のボード材は気温や湿度の変化をうけ、ボード材の短所である伸縮がおこり、ボード材全体が波打ち、その結果、このボード材に貼り付けられる選挙用ポスターも共に波打ち、立候補者のイメージアップの妨げになる。【０００６】  そこで、作業者によっては、作業の手間を要するがこの波打つ問題に対処するためにボード材に木ねじの無ねじ部の直径よりも大きな開口穴を予め開口し、その後、その大きな穴を介して木ねじを枠組み材にねじ込み、ボード材と無ねじ部の間に隙間を設けることでボード材の伸縮に対処する工夫を行っている。【０００７】  この工夫によれば、ボード材の開口穴が無ねじ部の外径よりも大きく開口されているので、ボード材と無ねじ部との間に隙間を設けることが出来、この隙間で、ボード材の伸縮を逃がし、波打ちに対処できる。【０００８】  一方で、無ねじ部にねじ部の外径とほぼ同径の突条を設けたねじ込み抵抗の低減を目的とした木ねじが市場で流通している。（特許文献１参照）【０００９】  また、無ねじ部にねじ部の外径とほぼ同じ外径の補助ねじを設けたねじの抜き取りの容易さを目的とした木ねじも市場で流通している。（特許文献２参照）【００１０】  これらの木ねじを使用すれば、突条又は補助ねじが無ねじ部の外径よりも大きく形成されているので、作業の手間を要することなく、ボード材に無ねじ部の直径よりも大径の穴が開口でき、ボード材の伸縮を逃がし、波打ちに対処できる。
【特許文献１】実公平６−４８１７０号公報
【特許文献２】実用新案登録番号３０２１６１８号公報
【発明の開示】
【発明が解決しようとする課題】
【００１１】  しかし、上述の無ねじ部に突条を設けたもの又は、補助ねじを設けたものを用いた場合、無ねじ部より大きな穴を開口することはできるが、その開口穴の周面はかき回され、ちぎりとられたようになっていて無ねじ部とボード材との間の隙間が不均一であるという問題がある。【００１２】  また、選挙用ポスター掲示板は屋外に設置されるため、天候の変化、寒暖の差その他の影響を受ける。例えば、降雨にさらされた場合、ボード材は雨水を吸収し、その重さは増え、前述のかき回され、ちぎりとられたような開口穴へかかる力が大きくなり開口穴が裂けてしまうという問題もある。【００１３】  そこで、この発明の課題は、作業の手間を要することなく、また、ボード材の伸縮を逃がすことで波打ちに対処し、さらに、外的要因により、ボード材全体の重量が増しても、開口穴が裂けることがないねじを提供することにある。
【課題を解決するための手段】
【００１４】  上記目的を達成するために請求項１の発明は、ねじ山の頭部側の終端部からさらに頭部側へ所定の間隔をもって軸部のねじ軸線上に中心があり、かつ前述のねじ軸線と垂直な平面と平行で、さらに上述のねじ山の外径より大径である環状突起を有しており、さらにまた前述の環状突起は上述の軸部の周面から離れるに従い上面と下面が収束する形状を成しており、環状突起に続いてさらに頭部側へ所定の間隔をもって前記軸部の外径より小径となり、さらにその中心が前記軸部内にある環状凹部を頭部下のテーパ部まで設けた構成を採用したものである。【００１５】  請求項２の発明に於いては、２個以上の前記環状突起を前記ねじ山の頭部側の終端部と前記環状凹部間に設ける構成を採用したものである。【００１６】  請求項３の発明に於いては、ねじ山を有する軸部の一端に回動工具の係合手段を設けた頭部を有し、その他端に先端を有し、前記ねじ山が先端から前記軸部の途中まで続くねじにおいて、前記ねじ山の頭部側の終端部からさらに頭部側へ所定の間隔をもって、前記ねじ軸線と垂直な平面で、前記ねじ山の外径より大径であり、さらに中心が前記軸部内を通っている弦巻き線を有しており、かつ前記弦巻き線は前記軸部の周面から離れるに従い上面と下面が収束する形状を成しており、前記弦巻き線に続いてさらに頭部側へ所定の間隔をもって前記軸部の外径より小径となり、さらにその中心が前記ねじ軸線と一致する環状凹部を頭部下のテーパ部まで設ける構成を採用したものである。
【発明の効果】
【００１７】  本発明のねじは、無ねじ部にねじ部より大径な環状の突起を設けているため、枠組み材へボード材を介して打ち込む時に無ねじ部より大径な開口穴をボード材に形成することができるので、作業の手間を要しない。【００１８】  また、上記の環状の突起の形状が、上面と下面が収束する形状であるため、上記の無ねじ部より大径な開口穴は、ねじ部で強制的に開口され、かき乱された穴周面を半径外側へ折り畳むようにして形成される。その後、打ち込み完了時においては、無ねじ部より大径な開口穴周面の縁は二重折りとすることにより、高強度とすることができるため、開口穴が裂けることがない。【００１９】  更に、本発明のねじは軸部の外径より小径な無ねじ部を形成しているので、さらに無ねじ部と開口穴との間に大きな隙間を確保することができ、逃げを広く設けることができるので、ボード材の伸縮を逃がすことができ、ボード材の波打ちに対処できる。
【本発明を実施するための最良の形態】
【００２０】  ねじ山の頭部側の端から頭部側に所定の間隔を持って設けられ、前記ねじ山の頭部側の終端部からさらに頭部側へ所定の間隔をもって前記軸部のねじ軸線上に中心があり、前記ねじ軸線と垂直な平面で、前記ねじ山の外径より大径である環状突起を有しており、かつ前記環状突起は前記軸部の周面から離れるに従い上面と下面が収束する形状を成しており、上記環状突起に続いて頭部側へ所定の間隔を持って設けられた前記軸部より小径となる環状凹部を設けている。
【実施例】
【００２１】  図２のように、本発明のねじ１は、軸部２の一端に回動工具１１の係合手段を設けた頭部３を有し、一方、軸部２の他端に先端４を有し、先端４から軸部２の途中までつづくねじ山５を有しており、さらに、ねじ山５の頭部側の終端６から所定の間隔を持って設けられた上記軸部２の周面に設けられ、上記ねじ山５の頭部側の終端６からさらに頭部側へ所定の間隔をもって軸部２内に中心があり、前述したねじ軸線１０と垂直な平面で、上述のねじ山５の外径より大径である環状突起７を有しており、かつ環状突起７は上記軸部２の周面から離れるに従い上面と下面が収束する形状を成している。環状突起７に続いてさらに頭部側へ所定の間隔を持って軸部２の周面に設けられた軸部２より小径となる環状凹部８を頭部下のテーパ部まで設けた構造となっている。【００２２】  本発明のねじは、上記のような構成であり、回動工具１１の係合手段を有する頭部３に回動工具１１を係合し、ボード材１２を介して、枠組み材１３に留め付けるものである。
以下、実施の形態を図と共に説明する。【００２３】  図２のように本発明のねじの頭部３に回動工具１１を係合させ、枠組み材１３にボード材１２を介するように打ち込んでいく。【００２４】  ねじ込みが始まるとまず、図３のようにボード材１２がねじ山５に沿って徐々にせりあがってくる。そしてねじ込みが進むにつれて、図４のようにそのせり上がりはより高くなってゆく。そしてねじ部の終端６となるときにはせり上がり１４は大きく逆クレーター状となっている。【００２５】  その後、図５に示すように環状突起７の斜面にボード材１２が当たり始める。すると、環状突起７は軸部の周面から離れるに従い収束するように形成されているのでその逆クレーター状のせり上がり１４は図５に示すように環状突起７の斜面に沿うようにして徐々に巻き返され始める。
さらにねじ込みが進むと開口の周面は外方向に押し出される。図６に示すようにさらにねじ込みが進むと、環状突起７はボード材１２を下方向へ突き抜ける。【００２６】  ここで、請求項２の構成の２個以上の環状突起７を設けている場合は、最も先端４側の突起がボード材１２を下方向に突き抜けた後、なおも先端４から２番目以降の環状突起７が開口の周面を外方向に押出し続けることになり、クレーター状のせり上がり１４をさらに大きくする。【００２７】  続いて、頭部３の下面がせり上がった開口の周面を開口の半径外側に押し潰しはじめる。開口の周面はボード材１２の表面に巻き返し折り畳むように押し潰されていく。【００２８】  さらにねじ込みが進み、図７のように、頭部３がボード材１２に当接するとねじ込み作業は完了する。【００２９】  このとき、図７のように開口部は完全に押し潰され、開口周面はボード材が二重折りとなり、開口穴周面が補修された形状となるため、その縁は非常に高強度となっている。【００３０】  さらに、打込み完了後は環状凹部８と開口部が水平に位置し、開口部と環状凹部８の間には大きな隙間を有しているので、逃げが大きくなり、ボード材１２が伸縮したとしても、波打ちに対処できることとなる。【００３１】  なお、発明者の研究の結果、上記の隙間の直径をＤ、環状凹部８の直径をｄとするとき、Ｄ≒１．５ｄの関係とすることが好ましい。【００３２】  一方で、請求項３のように環状突起７の位置に弦巻き線を用いたものとすれば、無ねじ部より大径な開口穴の形成時に円周上のある１点から順次めくり上げられ、環状突起７よりもボード材１２に負担をかけずに、かつ螺旋を描くように巻き返しを行っていくので、開口穴の形成効率が非常によく、無ねじ部より大径な開口穴周面がよりきれいな二重折りとなる。【００３３】  また更に、環状突起７、あるいは、弦巻き線を用いたものの斜面の角度は、発明者の研究の結果、軸部周面から６０度前後であることが好ましい。【００３４】  上記のように、いずれの実施例にしてもボード材１２に無ねじ部より大径な開口穴を形成するために、穴周縁を半径外側に折り返すことで、ボード材１２の穴周縁が二重折部１５となり、ボード材１２の再利用を可能として、経済的になる。【００３５】  また、図８のように留め付けられているので、無ねじ部よりも大径な開口穴がきれいに仕上り、かつボード材の気温、湿度の変化による伸縮が発生しても環状凹部８と無ねじ部よりも大径な開口穴の間に隙間が十分に確保されているため、結果としてボード材１２の波打ちに対処することとなり、ボード材１２全体の波打ちが無くなる。
【図面の簡単な説明】
【００３６】
【図１】  本発明のねじの正面図
【図２】  ねじの打込み行程−１
【図３】  ねじの打込み行程−２
【図４】  ねじの打込み行程−３
【図５】  ねじの打込み行程−４
【図６】  ねじの打込み行程−５
【図７】  ねじの打込み後の断面図
【図８】  環状凹部と開口穴の関係図
【図９】  選挙用ポスター掲示板
【符号の説明】
【００３７】１        ねじ
２        軸部
３        頭部
４        先端
５        ねじ山
６        ねじ部の終端
７        環状突起
８        環状凹部
９        テーパ部
１０      ねじ軸線
１１      回動工具
１２      ボード材
１３      枠組み材
１４      せり上がり
１５      二重折部
１６      隙間
１７      立候補者ポスター
【図１】
2005331091.tif 000003
【図２】
2005331091.tif 000004
【図３】
2005331091.tif 000005
【図４】
2005331091.tif 000006
【図５】
2005331091.tif 000007
【図６】
2005331091.tif 000008
【図７】
2005331091.tif 000009
【図８】
2005331091.tif 000010
【図９】
2005331091.tif 000011